(57)【要約】【課題】必要時に凝集剤や防腐剤の添加を必要としない貴金属コロイド溶液を生成することができる水処理装置を提供すること。【解決手段】水処理装置１は、水を貯留する容器４と、容器４内の水に浸漬されて交流電解することで白金イオンを溶出させる白金板電極対１３と、白金板電極対１３に交流電圧を印加する電源部３と、容器４内の水に含まれる白金イオンを還元して白金コロイドを生成する白金メッキ処理チタン電極対１４とを備えている。白金メッキ処理チタン電極対１４は、電源部３により直流電圧が印加されることで、白金イオンをコロイド化する。【選択図】図１
2009050774.tif 000002
【特許請求の範囲】
【請求項１】
水を貯留する貯留槽と、
前記貯留槽内の水に浸漬されて交流電解することで貴金属イオンを溶出させる貴金属電極対と、
前記電極対に交流電圧を印加する電源部と、
前記貯留槽内の水に含まれる貴金属イオンを還元して貴金属コロイドを生成する還元部と、
を備えたことを特徴とする水処理装置。
【請求項２】
請求項１に記載の水処理装置において、
前記還元部は、前記貯留槽内の水に浸漬されて直流電解することで貴金属イオンを還元する還元電極対であることを特徴とする水処理装置。
【請求項３】
請求項２に記載の水処理装置において、
前記還元電極対は前記貴金属電極対であることを特徴とする水処理装置。
【請求項４】
請求項１〜３のうち何れか１項に記載の水処理装置において、
水を電気分解することで水素溶解水を生成する水素溶解水生成部と、前記還元部で生成された貴金属コロイドを含む水と前記水素溶解水生成部で生成された水素溶解水とを混合する混合部と、を備えたことを特徴とする水処理装置。
【請求項５】
請求項１〜４のうち何れか１項に記載の水処理装置において、
前記貴金属電極対に印加される交流電圧の周波数が１００ヘルツ以下であることを特徴とする水処理装置。
【請求項６】
請求項２〜４のうち何れか１項に記載の水処理装置において、
前記還元電極対に印加される直流電圧が５Ｖ以上１０Ｖ以下であることを特徴とする水処理装置。
【発明の詳細な説明】
【技術分野】
【０００１】
本発明は、貴金属コロイドを含む水を生成する水処理装置に関する。
【背景技術】
【０００２】
近年、体内で発生する過酸化水素（Ｈ２Ｏ２）、スーパーオキサイド（Ｏ２−）、ヒドロキシラジカル（・ＯＨ）などの活性酸素を消去する抗酸化性を有する飲用水が医療や美容などの分野で注目されている。特に、コロイド化された貴金属粒子は抗酸化性があるものとして注目されており、例えば特許文献１には、電解質水溶液を電気分解して得られる電解水に白金溶液を添加した飲用水が提案されている。
【特許文献１】特開２００３−３０１２８８号公報
【発明の開示】
【発明が解決しようとする課題】
【０００３】
ところで、貴金属コロイド溶液中の貴金属コロイドはコロイド生成後時間をおくとコロイド同士が凝集して沈澱を生じ抗酸化活性が極度に低下するため、一般的にコロイド溶液には凝集防止剤として有機高分子、有機酸、界面活性剤などが凝集防止の目的で添加される。しかし、これらの凝集防止剤は貴金属コロイドの表面を覆うことで凝集防止効果を発揮するため、コロイド自体の抗酸化活性が低下することは避けられない。また、貴金属コロイドを含む飲用水を抗酸化の目的で飲用すると、意図せずこれらの凝集防止剤も摂取することになり、凝集防止剤の種類によっては身体への影響が懸念される。
【０００４】
上記特許文献１の技術であると、白金イオン溶液のままでは貴金属イオンのような抗酸化活性はなく、また、生成した白金コロイドを溶液または粉末の状態としておく場合は前述の凝集防止剤の利用が不可避である。更に、白金イオン溶液または白金コロイド溶液の何れの状態であっても、溶液状で保管する際には防腐剤の添加を検討する必要があり、防腐剤についても意図せず摂取することによる身体への影響が懸念される。
【０００５】
本発明は、上記課題を解決するためになされたものであって、その目的は、必要時に凝集剤や防腐剤の添加を必要としない貴金属コロイド溶液を生成することができる水処理装置を提供することを目的とする。
【課題を解決するための手段】
【０００６】
上記課題を解決するために、請求項１に記載の発明は、水を貯留する貯留槽と、前記貯留槽内の水に浸漬されて交流電解することで貴金属イオンを溶出させる貴金属電極対と、前記電極対に交流電圧を印加する電源部と、前記貯留槽内の水に含まれる貴金属イオンを還元して貴金属コロイドを生成する還元部と、を備えたことを要旨とする。
【０００７】
この発明では、電源部により貴金属電極対に交流電圧が印加されることで貯留槽内の水に貴金属イオンが溶出されるとともに、貯留槽内の水に含まれる貴金属イオンは還元部により還元されてコロイド化される。このため、必要なとき即座に貴金属コロイド溶液を生成することができ、また、長時間保管するために貴金属コロイド溶液に凝集剤や防腐剤を添加する必要がない。
【０００８】
請求項２に記載の発明は、請求項１に記載の水処理装置において、前記還元部は、前記貯留槽内の水に浸漬されて直流電解することで貴金属イオンを還元する還元電極対であることを要旨とする。この発明では、貴金属イオンを還元してコロイド化する還元部が電極対であるため、貴金属電極対と電源部を共用することができ、装置を単純な構成とすることができる。
【０００９】
請求項３に記載の発明は、請求項２に記載の水処理装置において、前記還元電極対は前記貴金属電極対であることを要旨とする。この発明では、交流電解を行う貴金属電極対が直流電解を行うための電極対と兼ねられているため、水処理装置の必要電極数を減らすことができ、還元電極対を単独で設ける場合と比較して構成の簡易化を図ることができる。
【００１０】
請求項４に記載の発明は、請求項１〜３のうち何れか１項に記載の水処理装置において、水を電気分解することで水素溶解水を生成する水素溶解水生成部と、前記還元部で生成された貴金属コロイドを含む水と、前記水素溶解水生成部で生成された水素溶解水とを混合する混合部と、を備えたことを要旨とする。
【００１１】
この発明では、水素溶解水生成部で生成された水素溶解水と貴金属コロイドを含む水とが混合される。貴金属コロイドはその結晶構造内に多量の水素を吸蔵する水素吸蔵の性質を有するため、水素溶解水中の水素は貴金属コロイドに吸蔵される。このため、水素は水素分子単体よりも反応性が高くなり還元性が高まるとともに、溶存水素は水からガスとして抜けやすい性質が改善され、安定した状態で保持される。
【００１２】
請求項５に記載の発明は、請求項１〜４のうち何れか１項に記載の水処理装置において、前記貴金属電極対に印加される交流電圧の周波数が１００ヘルツ以下であることを要旨とする。この発明では、貴金属電極対に印加される交流電圧の周波数が１００ヘルツ以下であるため、高効率で貴金属イオンの溶解を行うことができる。
【００１３】
請求項６に記載の発明は、請求項２〜４のうち何れか１項に記載の水処理装置において、前記還元電極対に印加される直流電圧が５Ｖ以上１０Ｖ以下であることを要旨とする。この発明では、還元電極対に印加される直流電圧が５Ｖ以上１０Ｖ以下であるため、高効率で貴金属イオンが還元される。
【発明の効果】
【００１４】
従って、上記記載の発明によれば、必要時に凝集剤や防腐剤の添加を必要としない貴金属コロイド溶液を生成することができる水処理装置を提供することができる。
【発明を実施するための最良の形態】
【００１５】
（第１実施形態）
以下、本発明を具体化した水処理装置の第１実施形態を図面に従って説明する。
図１に示すように、水処理装置１の本体部２は電源部３を内蔵しており、本体部２は上面に貯留槽としての容器４を設置するように略扁平直方体形状に形成されている。また、本体部２には上方向に向けて支持部５が突出形成されており、支持部５の先端（上端部）に設けられた回転ヒンジにより、容器４を覆う上蓋部６が回動可能に支持されている。上蓋部６は電源部３に接続された制御部７を内蔵しており、上蓋部６の下部には白金コロイド生成部８が取着されている。白金コロイド生成部８は、上蓋部６が容器４の開口を閉じた状態で、容器４に貯留された水に浸漬されて白金コロイドを生成する。また、上蓋部６の上面には、制御部７に接続された操作スイッチ９とＬＥＤランプ１０とが設けられている。なお、ＬＥＤランプ１０は、点灯箇所や点灯パターンにより、使用者に報知する内容が区別されるように点灯される。
【００１６】
貴金属コロイド生成部８は酸化還元槽１１を備えている。酸化還元槽１１は円筒状に形成されるとともに内部が隔壁１１ａにより区画されている。酸化還元槽１１には制御部７に接続された水位センサ１２、貴金属電極対としての白金板電極対１３、還元部及び還元電極対としての白金メッキ処理チタン電極対１４、攪拌機１５及び光学センサ１６が収容されている。これらの部材は、上蓋部６が容器４の開口部を覆った状態で、隔壁１１ａから下方向に向かって突出するように配置されている。酸化還元槽１１には隔壁１１ａにより区画され該隔壁１１ａの下側の空間と、酸化還元槽１１の外側とを連通する複数の連通孔１１ｂが形成されており、容器４内に所定の水位まで水が供給され、上蓋部６が容器４の開口部を覆う位置とされると、酸化還元槽１１に収容された各部材は容器４内の水に浸漬される。尚、連通孔１１ｂの数、位置は適宜変更されてもよい。
【００１７】
水位センサ１２は、容器４に貯留されている水の水位を検出しその結果を制御部７に出力する。白金板電極対１３は、制御部７から電極間に交流電圧が印加されると、陽極側の電極から白金イオンが溶出する。白金メッキ処理チタン電極対１４は、制御部７から電極間に直流電圧が印加されると、陰極側の電極において白金イオンを還元し白金コロイドを生成する。攪拌機１５は、先端部にスクリュー１５ａを備えている。
【００１８】
光学センサ１６は、先端部が白金コロイド生成部８（酸化還元槽１１）の開口端から突出するように設けられている。光学センサ１６は容器４の底面に光を照射してその反射光を受光し、その光量に基づく信号を制御部７に出力する。反射光量は、容器４の底面に堆積した白金コロイドの凝集体の量により変化し、白金コロイドの凝集体の量に対応して反射光の光量が減少する。従って、光学センサ１６の出力信号と閾値とを大小比較することにより、容器４の底面に白金コロイドの凝集体が形成されているか否かが検出される。
【００１９】
次に、上記の水処理装置１の作用を説明する。
まず、所定の水位まで水が供給された容器４が本体部２に設置され、容器４の開口部を覆うように上蓋部６が閉じられる。すると、連通孔１１ｂを介して酸化還元槽１１内に水が注入される。その状態で、使用者により操作スイッチ９が押されると、制御部７は水位センサ１２から入力した信号に基づいて、容器４に貯留された水の水位が適切か否かを判断する。この水位は、白金コロイド生成部８を構成する各部材が好適に浸漬される程度の水位に設定されている。容器４に貯留された水の水位が適切でなければ、制御部７はＬＥＤランプ１０を点滅して使用者にその旨を報知する。
【００２０】
容器４に貯留された水の水位が適切であれば、制御部７は白金板電極対１３に交流電圧を印加する。すると、白金板電極対１３の陽極側の電極から白金イオンが生成され水中に溶出する。このとき、白金板電極対１３に印加される交流電圧の周波数は、１００（Ｈｚ）以下とし、好ましくは２０（Ｈｚ）以下、更に好ましくは５（Ｈｚ）以下とする。図２に示すように、周波数をそのように設定すると、白金イオンの溶出濃度が比較的高くなる。
【００２１】
また、同時に、制御部７は攪拌機１５を駆動してスクリュー１５ａを回転させるため、溶出された白金イオンは連通孔１１ｂを介して速やかに容器４中の水全体に拡散される。制御部７は、一定時間白金板電極対１３に交流電圧を印加した後、電圧の印加を停止する。
【００２２】
次に、制御部７は白金メッキ処理チタン電極対１４に直流電圧を印加する。すると、白金メッキ処理チタン電極対１４の陰極側の電極で白金イオンが還元され、白金コロイドが生成される。このとき、白金メッキ処理チタン電極対１４に印加される直流電圧は、２．５（Ｖ）以上１５（Ｖ）以下とし、更に好ましくは５（Ｖ）以上１０（Ｖ）以下とする。図３に示すように、電圧値をそのように設定すると、白金イオンの還元反応速度が比較的高くなる。なお、攪拌機１５が駆動されているため、生成された白金コロイドは速やかに容器４内に拡散される。制御部７は、一定時間白金メッキ処理チタン電極対１４に直流電圧を印加した後、電圧の印加を停止する。同時に、制御部７は攪拌機１５の駆動を停止する。
【００２３】
制御部７は、白金メッキ処理チタン電極対１４への電圧の印加を終了すると、ＬＥＤランプ１０を点灯しその旨を使用者に報知する。使用者は、ＬＥＤランプ１５点灯後、上蓋部６を開いて容器４を取り出し、容器４内の白金コロイド水を得ることができる。
【００２４】
なお、制御部７は、使用者により容器４が取り出されるまでの間、一定時間ごとに光学センサ１６により容器４の底面を照射し、白金コロイドの凝集体が形成されていないか確認する。光学センサ１６からの検出信号により白金コロイドの凝集体が検出されると、制御部７はＬＥＤランプ１０を点滅してその旨を使用者に報知する。尚、適切ではない水位を検知した時のＬＥＤランプ１０の点滅パターンと、凝集体を検出したときの点滅パターンとを相違させることにより、適切ではない水位の検知と、凝集体の検出とを区別して使用者に通知することができる。
【００２５】
また、制御部７は、白金コロイドの生成を終了した後、容器４が取り出されることなく白金コロイドが凝集してしまう虞がある一定時間、例えば１晩放置されると、ＬＥＤランプ１０を点滅してその旨を使用者に報知する。
【００２６】
次に、本実施形態の特徴的な作用効果を記載する。
（１）水処理装置１では、電源部３により白金板電極対１３に交流電圧が印加されることで容器４内の水に白金イオンが溶出されるとともに、容器４内の水に含まれる白金イオンは白金メッキ処理チタン電極対１４に直流電圧が印加されることで還元されてコロイド化される。このため、必要なとき即座に白金コロイド溶液を生成することができ、また、長時間保管するために白金コロイド溶液に凝集剤や防腐剤を添加する必要がない。
【００２７】
（２）水処理装置１では、白金イオンを還元してコロイド化する還元部が白金メッキ処理チタン電極対１４であるため、白金板電極対１３と電源部３を共用することができ、装置を単純な構成とすることができる。
【００２８】
（第２実施形態）
次に、本発明の第２実施形態について説明する。なお、上記第１実施形態の水処理装置１と同様の構成部分については、同一符号を付してその説明を省略する。
【００２９】
図４に示すように、本実施形態の水処理装置２０は、水処理装置１と比較して、白金メッキ処理チタン電極対１４が設けられておらず、白金板電極対１３が還元部及び還元電極対としての機能を兼ねている。
【００３０】
上記の水処理装置２０を使用する際には、制御部７は白金板電極対１３への交流電圧の印加を一定時間行った後、白金板電極対１３に直流電圧を印加する。そして、制御部７は、白金板電極対１３に一定時間直流電圧を印加した後、電圧の印加を停止する。制御部７は、白金板電極対１３への直流電圧の印加を終了すると、ＬＥＤランプ１０を点灯しその旨を使用者に報知する。
【００３１】
次に、本実施形態の特徴的な作用効果を記載する。
（１）水処理装置２０では、交流電解を行う白金板電極対１３が直流電解を行うための還元電極対と兼ねられているため、水処理装置２０の必要電極数を減らすことができ、還元電極対を単独で設ける場合と比較して構成の簡易化を図ることができる。
【００３２】
（第３実施形態）
次に、本発明の第３実施形態について説明する。
図５に示すように、水処理装置３０の本体部３１は、電源部としての電源制御部３２を備えている。また、本体部３１には、貯留槽としての溶解槽３３及び還元槽３４が収容されている。
【００３３】
本体部３１に形成された給水口３１ａには水道水の蛇口が接続されており、給水口３１ａと溶解槽３３とは給水管３５で接続され、溶解槽３３と還元槽３４とは連結管３６で接続されている。また、還元槽３４には吐出管３７が接続され、吐出管３７は終端部が本体部３１から突出するように本体部３１の上部に設けられた固定部３１ｂに固定されている。なお、固定部３１ｂの上面には操作スイッチ３１ｃが設けられている。また、溶解槽３３及び還元槽３４には排水管３８が接続され、排水管３８は終端部が本体部３１から突出するように本体部３１に固定されている。
【００３４】
また、本体部３１には水素溶解水生成部３９が収容されている。水素溶解水生成部３９には、給水管３５から分岐された分岐管４０が接続されており、更に、水素溶解水生成部３９には吐出管３７に接続される吐出管４１と排水管３８に接続される排水管４２とが接続されている。
【００３５】
詳しくは、溶解槽３３内には貴金属電極対としての白金板電極対４３が配設され、還元槽３４内には還元部及び還元電極対としての白金メッキ処理チタン電極対４４が配設されている。白金板電極対４３及び白金メッキ処理チタン電極対４４は電源制御部３２に接続されている。
【００３６】
また、給水口３１ａと溶解槽３３とを接続する給水管３５には、フィルター４５が設けられるとともに、フィルター４５の上流側には給水弁４６が設けられている。給水管３５においてフィルター４５の下流側には、給水管３５から前記分岐管４０を分岐させる分岐部４７が設けられており、分岐部４７の下流側には流量センサ部４８が設けられている。また、分岐管４０には流量センサ部４９が設けられており、流量センサ部４８，４９は、電源制御部３２に接続されている。
【００３７】
また、吐出管３７において還元槽３４の下流側には、導電率センサ部５０が設けられるとともに、その導電率センサ部５０の下流側には吐出管４１を介して水素溶解水生成部３９に接続された混合部５１が設けられている。また、排水管３８において溶解槽３３及び還元槽３４の下流側、及び排水管４２において水素溶解水生成部３９の下流側には、排水弁５２がそれぞれ設けられている。なお、図示は省略するが給水弁４６及び排水弁５２はそれぞれ電源制御部３２に接続されており、電源制御部３２により開閉制御される。
【００３８】
図６に示すように、水素溶解水生成部３９は、電解槽５３を備えている。電解槽５３は隔壁５４により陽極室５３ａと陰極室５３ｂとが区画形成されている。分岐管４０は水素溶解水生成部３９において分岐され、陽極室５３ａ及び陰極室５３ｂにそれぞれ接続されている。陽極室５３ａには陽極電極５５が設けられ、陰極室５３ｂには陰極電極５６が設けられている。陽極電極５５及び陰極電極５６は電源制御部３２に接続されている。また、陽極室５３ａに排水管４２が接続され、陰極室５３ｂに吐出管４１が接続されている。
【００３９】
次に、上記の水処理装置３０の作用を説明する。
使用開始時には給水弁４６及び排水弁５２は閉じられている。
まず、使用者により操作スイッチ３１ｃが押されると、電源制御部３２は給水弁４６を開く。すると、給水口３１ａから供給された水道水は、フィルター４５を通過して微細な不純物や有害物質等が除去された後、溶解槽３３及び水素溶解水生成部３９に流入する。
【００４０】
そして、電源制御部３２は、給水管３５に設けられた流量センサ部４８の検出信号（流量）と給水時間とに基づいて溶解槽３３に所定量の水が供給されたことを検知すると、白金板電極対４３に交流電圧を印加する。すると、白金板電極対４３の陽極側の電極にて白金イオンが生成され溶解槽３３に貯留された水中に溶出する。このとき、電源制御部３２は、流量センサ部４８により検出される流量に応じて、交流電圧の周波数を図２に示す特性値が格納されたマップ（図示略）に基づいて制御しイオン溶解効率を変化させることで、溶解槽３３内で一定の白金イオン溶解濃度が得られるように制御する。つまり、電源制御部３２は、溶解槽３３に貯留された水量が増すほどイオン溶解率を上昇させることで、溶解槽３３内の水量に関わらず白金イオン濃度が一定に保たれるように交流電圧の周波数を制御する。溶解槽３３で生成された白金イオン溶液は、連結管３６を介して還元槽３４に供給される。
【００４１】
電源制御部３２は、白金板電極対４３に交流電圧を印加するのと同時に還元槽３４の白金メッキ処理チタン電極対４４に直流電圧を印加する。すると、白金メッキ処理チタン電極対４４の陰極側の電極で白金イオンが還元され白金コロイドが生成される。このとき、電源制御部３２は、流量センサ部４８により検出される流量に応じて、直流電圧の電圧値を図３に示す特性値が格納されたマップ（図示略）に基づいて制御しイオン還元効率を変化させることで、還元槽３４内で一定の白金コロイド濃度が得られるように制御する。つまり、電源制御部３２は、還元槽３４に貯留された水量が増すほど還元反応速度を上昇させることで、還元槽３４内の水量に関わらず白金コロイド濃度が一定に保たれるように電圧値を制御する。還元槽３４で生成された白金コロイド溶液は、吐出管３７を介して吐出される。
【００４２】
また、電源制御部３２は、還元槽３４の下流側に設けられた導電率センサ部５０の検出信号に基づいて、還元槽３４から吐出される白金コロイド溶液の白金イオンの残存を検知する。電源制御部３２は、所定濃度以上の白金イオンの残存を検出すると、還元槽３４におけるイオン還元効率を高めるように白金メッキ処理チタン電極対４４への印加電圧を制御する。
【００４３】
一方、電源制御部３２は、分岐管４０に設けられた流量センサ部４９の検出信号（流量）と給水時間とに基づいて、水素溶解水生成部３９の電解槽５３に所定量の水が供給されたことを検知すると、陽極電極５５と陰極電極５６との間に直流電圧を印加する。すると、電解槽５３内で水の電気分解が起こり、陰極電極５６で水素が発生する。この水素が陰極室５３ｂ内の水に溶け込み、陰極室５３ｂ内で水素高溶解水が生成される。陰極室５３ｂで生成された水素高溶解水は吐出管４１から吐出される。吐出管４１から吐出された水素溶解水は、混合部５１にて還元槽３４から吐出された白金コロイド溶液と混合され、吐出管３７から吐出される。
【００４４】
そして、使用者により再び操作スイッチ３１ｃが押されると、電源制御部３２は給水弁４６を閉じる。その後、電源制御部３２は、流量センサ部４８の検出信号に基づいて、給水管３５の流量が所定時間、所定流量以下となったことを検知すると、白金板電極対４３、白金メッキ処理チタン電極対４４及び陽極電極５５と陰極電極５６との間への電圧の印加を停止する。また、電源制御部３２は、排水弁５２を開放する。すると、溶解槽３３、還元槽３４及び電解槽５３内の水は、排水管３８及び排水管４２を介して排水される。
【００４５】
次に、本実施形態の特徴的な作用効果を記載する。
（１）水処理装置３０では、水素溶解水生成部３９で生成された水素溶解水と、還元槽３４で生成された白金コロイド溶液とが混合される。白金コロイドはその結晶構造内に多量の水素を吸蔵する水素吸蔵の性質を有するため、水素溶解水中の水素は白金コロイドに吸蔵される。このため、水素は水素分子単体よりも反応性が高くなり還元性が高まるとともに、溶存水素は水からガスとして抜けやすい性質が改善され、安定した状態で保持される。
【００４６】
（２）水処理装置３０では、給水口３１ａから供給された水が、白金イオン溶液を生成する溶解槽３３と白金イオンをコロイド化する還元槽３４とを順に通過することで、吐出管３７から白金コロイド溶液が吐出されるため、使用者は必要時に所望量だけ白金コロイド溶液を得ることができる。
【００４７】
（３）水処理装置３０では、吐出管３７に導電率センサ部５０が設けられているため、電源制御部３２は、吐出される水に含まれる白金イオン濃度を検出し、吐出される水に白金イオンが残存しないように制御することができる。
【００４８】
尚、本発明の実施形態は、以下のように変更してもよい。
・上記各実施形態では、貴金属イオンを還元する還元部として電極対を用いたが、還元部を他の態様としてもよい。例えば、図７に示すように、上記第３実施形態の水処理装置３０において、還元槽３４の還元部として、白金メッキ処理チタン電極対４４に代えて超音波ホーン６１が固定された超音波振動子６２を設けてもよい。超音波振動子６２は電源制御部３２に接続されている。電源制御部３２は、流量センサ部４８からの検出信号に基づいて、所定流量の水が還元槽３４（溶解槽３３）に供給されたことを検知すると、超音波振動子６２に電圧を印加する。すると、超音波ホーン６１を介して還元槽３４の水に超音波が与えられ、超音波の作用で白金イオンが還元されて白金コロイドが生成される。なお、このとき、電源制御部３２は、還元槽３４への流量に応じて印加電圧値を変化させてイオン還元効率を変化させることで、白金イオン還元の最適制御を行うことができる。
【００４９】
また、例えば、図８に示すように、上記第３実施形態の水処理装置３０において、還元槽３４の還元部として、白金メッキ処理チタン電極対４４に代えて白金板で形成された放電電極対６３を設けてもよい。放電電極対６３は電源制御部３２に接続されている。電源制御部３２は、流量センサ部４８からの検出信号に基づいて、所定流量の水が還元槽３４（溶解槽３３）に供給されたことを検知すると、放電電極対６３に高圧電圧を印加する。すると、放電電極対６３間に水中放電が発生し、その作用で白金イオンが還元されて白金コロイドが生成される。なお、このとき、電源制御部３２は、還元槽３４への流量に応じて印加電圧値を変化させてイオン還元効率を変化させることで、白金イオン還元の最適制御を行うことができる。
【００５０】
・上記各実施形態では、電圧の印加により貴金属を溶出させる貴金属電極対を白金板電極対１３，４３としたが、貴金属電極対を他の貴金属で形成してもよい。例えば、金、ルテニウム、ロジウム、パラジウム、オスミニウム、イリジウムといった貴金属板を用いてもよく、更には、例えばステンレス板やチタン板などの汎用電極材料にメッキや焼成などの方法で前述の貴金属を担持させたものとしてもよい。
【００５１】
・上記各実施形態では、貴金属イオンを還元してコロイド化する還元電極対を白金メッキ処理チタン電極対１４，４４としたが、還元電極対を他の貴金属で形成してもよい。例えば、金、ルテニウム、ロジウム、パラジウム、オスミニウム、イリジウムといった貴金属板を用いてもよく、更には、例えばステンレス板やチタン板などの汎用電極材料にメッキや焼成などの方法で前述の貴金属を担持させたものとしてもよい。
【００５２】
・上記各実施形態では、貴金属電極対としての白金板電極対１３，４３及び還元電極対としての白金メッキ処理チタン電極対１４，４４は、それぞれ１対設けられているが、各電極を複数設けてもよい。
【００５３】
・上記第１実施形態及び第２実施形態では、白金コロイドの凝集を検出するための光学センサ１６が設けられているが、光学センサ１６は必ずしも設けなくてもよい。白金コロイドの凝集が検出できればよく、例えば白金コロイド生成後、白金コロイドが凝集する可能性がある一定時間経過したことを、ＬＥＤランプ１０を点灯することで使用者に報知するのみとしてもよい。
【００５４】
・上記第３実施形態の水処理装置３０において、図９に示すように、水素溶解水生成部３９を含まない構成としてもよい。その場合でも、使用者により操作スイッチ３１ｃが押されることで、吐出管３７から白金コロイド溶液が吐出されるため、使用者は必要時に所望量だけ白金コロイド溶液を得ることができる。
【００５５】
・上記第１実施形態及び第２実施形態では、制御部７は白金板電極対１３及び白金メッキ処理チタン電極対１４に一定時間電圧を印加するものとしたが、容器４に導電率センサを設け、導電率センサにより検出される白金イオン濃度に基づいて各電極に電圧を印加する時間を変化させてもよい。その場合、制御部７は、白金イオン濃度が所定の濃度となるまで貴金属電極対（白金板電極対１３）に交流電圧を印加した後、白金イオンが残存しなくなるまで還元電極対（白金板電極対１３または白金メッキ処理チタン電極対１４）に直流電圧を印加する。そうすると、使用者は、白金イオンが残存せず、所望のコロイド濃度とされた白金コロイド溶液を確実に得ることができる。
【図面の簡単な説明】
【００５６】
【図１】第１実施形態の水処理装置の概略構成図である。
【図２】貴金属電極対に印加される電圧の周波数とＰｔ溶出濃度との関係を示すグラフである。
【図３】還元電極対に印加される電圧値と還元反応速度との関係を示すグラフである。
【図４】第２実施形態の水処理装置の概略構成図である。
【図５】第３実施形態の水処理装置の概略構成図である。
【図６】水素溶解水生成部の説明図である。
【図７】別例の還元部の説明図である。
【図８】別例の還元部の説明図である。
【図９】別例の水処理装置の概略構成図である。
【符号の説明】
【００５７】
１，２０，３０…水処理装置、３…電源部、４…貯留槽としての容器、１３…貴金属電極対及び還元部及び還元電極対としての白金板電極対、１４…還元部及び還元電極対としての白金メッキ処理チタン電極対、３２…電源部としての電源制御部、３３…貯留槽としての溶解槽、３４…貯留槽としての還元槽、３９…水素溶解水生成部、４３…貴金属電極対としての白金板電極対、４４…還元部及び還元電極対としての白金メッキ処理チタン電極対、５１…混合部、６１…還元部を構成する超音波ホーン、６２…還元部を構成する超音波振動子、６３…還元部としての放電電極対。
【図１】
2009050774.tif 000003
【図２】
2009050774.tif 000004
【図３】
2009050774.tif 000005
【図４】
2009050774.tif 000006
【図５】
2009050774.tif 000007
【図６】
2009050774.tif 000008
【図７】
2009050774.tif 000009
【図８】
2009050774.tif 000010
【図９】
2009050774.tif 000011